(57)【要約】【課題】  飛散トナーを回収するためにフィルターの目詰まりを防止するとともに、フィルターの交換が容易にできる画像形成装置を提供する。【解決手段】  画像形成装置は、感光体１Ｙ，１Ｍ，１Ｃ，１Ｋと、現像装置４Ｙ，４Ｍ，４Ｃ，４Ｋと、トナー吸引ダクト１３０と、集塵装置２００を有する。集塵装置２００内には、隔壁２０５があり、ここに開閉手段２０６が設けられている。吸引手段２３０が稼働すると、開閉手段２０６が差圧で開き、飛散トナーは、フィルター２２１により捕捉される。フィルターの振動手段２４０が稼働すると、フィルター２２１は振動し、付着しているトナーが剥離して落下し、回収部２５０に収容される。開閉部材２０６を設けることで、空気が隔壁２０５を越えて逆流するのを防止でき、トナーを回収部に回収することができる。【選択図】      図２
2008003336.tif 000002
【特許請求の範囲】
【請求項１】
像担持体と、該像担持体上の潜像をトナーで現像する現像装置と、該現像装置近傍に発生した飛散トナーを吸引するための集塵装置と、該集塵装置内の空気を吸引する吸引手段と、前記集塵装置内に設けられた飛散トナーを吸着するフィルターと、該フィルターを振動させる振動手段とを有し、前記振動手段が前記集塵装置の外側に設けられていることを特徴とする画像形成装置。
【請求項２】
前記フィルターが、前記集塵装置に内装されるフィルター保持具に着脱可能に設けられていることを特徴とする請求項１記載の画像形成装置。
【請求項３】
前記フィルターが、前記フィルター保持具に複数取り付けられていることを特徴とする請求項１又は２に記載の画像形成装置。
【請求項４】
前記フィルター保持具が前記集塵装置に着脱可能に取り付けられたことを特徴とする請求項１から３のいずれかに記載の画像形成装置。
【請求項５】
前記集塵装置が、相互に離間した２箇所に設けられた固定部材によって前記画像形成装置の本体に、固定されていることを特徴とする請求項１から４のいずれかに記載の画像形成装置。
【請求項６】
前記集塵装置が、ほぼ矩形の端部を有し、該矩形の１辺に前記２箇所の固定部材が設けられたことを特徴とする請求項５記載の画像形成装置。
【請求項７】
前記固定部材が前記集塵装置を少なくとも１方向に移動可能な隙間を有していることを特徴とする請求項５又は６記載の画像形成装置。
【請求項８】
前記隙間に、弾性部材を設けたことを特徴とする請求項７記載の画像形成装置。
【発明の詳細な説明】
【技術分野】
【０００１】
本発明は電子写真方式を用いた画像形成装置に関し、特に、画像形成装置内で発生する飛散トナーの回収に関する。
【背景技術】
【０００２】
電子写真方式を用いた画像形成装置では、感光体ドラムなどの像担持体表面を一様に帯電させ、この上にレーザ光などで原稿画像を結像させて静電潜像を形成し、これをトナーで現像してトナー画像とし、これを記録媒体としての用紙に転写し、定着装置でトナーを加熱溶融させて定着させている。
【０００３】
トナーには、磁性トナーからなる一成分磁性現像剤と、磁性キャリアとトナーを混合してなる２成分現像剤とがあるが、ここでは、トナーという場合、双方を含むものとしている。
【０００４】
画像形成装置では、コロナ放電に伴ってコロナ帯電器からオゾンが発生したり、現像操作に伴って現像装置からトナーが飛散したりするが、これらオゾンやトナーが、環境や画質に好ましくない影響を与えることは知られている。
【０００５】
オゾンについては、コロナ帯電器の構成を工夫したり、発生したオゾンを吸引ファンで強制的に吸引するとともに、その途上に設けたフィルターで臭気をとる構成などが提案されている。
【０００６】
また、飛散トナーについても、感光体表面に現像装置が近接する位置に、トナー吸引ダクトの吸引口を設ける構成が知られている。そして、吸引された飛散トナーは、トナー吸引ダクト内を飛翔して広い吸引室に入り、この吸引室の吸引ファン側に設けられたフィルターに捕捉される。
【０００７】
しかしながら、多量の飛散トナーを捕捉すると、フィルターは目詰まりを起こして、吸引力が低下し、飛散トナーの捕捉能力が低下する。
【０００８】
そこで、特許文献１（特開２００５−２４２１９５号）では、フィルターが設けられたフィルター室のフィルターの上流側の床面に磁石体を設け、フィルターに吸着される前のトナーを磁力によって落下させ、フィルターに吸着させないようにした現像剤回収部を提案している。
【０００９】
しかし、上記特許文献１の現像剤回収部では、飛散トナーには、ファンで吸引する力と、磁石による磁力の双方が加わり、トナーはこれらの合成された力の方向に移動するが、ファンの吸引力の方が大きいので、実質的にはフィルターに向かって進み、磁石には殆ど吸着されない。したがって、磁石に吸着させるためには、ファンを停止しなければならず、ファンを停止すればトナーを吸引できない、という二律背反の問題があった。また、トナーが磁石の上にある程度溜まると、トナーを落下させる磁力が低下して、トナーを吸着できなくなるという問題もあった。これらの問題から、フィルターの目詰まりが起こり易かった。
【特許文献１】特開２００５−２４２１９５号
【発明の開示】
【発明が解決しようとする課題】
【００１０】
本発明は、このような問題の解決を図ったもので、フィルターの目詰まりを防止して飛散トナーの回収が確実にできる画像形成装置を提供することを目的としている。
【課題を解決するための手段】
【００１１】
上記の目的を達成するために本発明の画像形成装置は、像担持体と、該像担持体上の潜像をトナーで現像する現像装置と、該現像装置近傍に発生した飛散トナーを吸引するための集塵装置と、該集塵装置内の空気を吸引する吸引手段と、前記集塵装置内に設けられた飛散トナーを吸着するフィルターと、該フィルターを振動させる振動手段とを有し、前記振動手段が前記集塵装置の外側に設けられていることを特徴としている。
【００１２】
前記フィルターが、前記集塵装置に内装されるフィルター保持具に着脱可能に設けられている構成としたり、前記フィルターが、前記フィルター保持具に複数取り付けられている構成としたり、前記フィルター保持具が前記集塵装置に着脱可能に取り付けられた構成としたり、前記集塵装置が、相互に離間した２箇所に設けられた固定部材によって前記画像形成装置の本体に、固定されている構成としたり、前記集塵装置が、ほぼ矩形の端部を有し、該矩形の１辺に前記２箇所の固定部材が設けられた構成としたり、前記固定部材が前記集塵装置を少なくとも１方向に移動可能な隙間を有している構成としたり、前記隙間に、弾性部材を設けた構成としたりすることができる。
【発明の効果】
【００１３】
像担持体と現像装置との間に発生する飛散トナーは、集塵装置で吸引され、フィルターに捕捉される。振動手段により振動を加えられるとフィルターが振動し、フィルターに付着していたトナーがフィルターから剥離・落下し、フィルターの目詰まりを防止することができる。この場合、振動手段とフィルターとの間が空間的に連通していると、飛散トナーが振動手段内に入り込み、振動手段を汚し、さらには、トナーが詰まって振動手段が故障するおそれがある。そこで、振動手段をトナー集塵装置の外側に取り付け、飛散トナーが振動手段内に入り込まないようにした。このような構成によって、振動手段の汚れを防止し、トナー詰まりによる故障を防止することができる。
【００１４】
前記フィルターを複数枚重ねることで、飛散トナーの捕捉を確実なものにすることができる。また、フィルターをフィルター保持具に着脱可能に取り付けたり、フィルター保持具をトナー集塵装置に着脱可能にすることで、フィルターの交換を容易にすることができる。
【００１５】
集塵装置が、相互に離間した２箇所に設けられた固定部材によって前記画像形成装置の本体に、固定されている構成にすることで、集塵装置が振動手段により振動し易くなり、フィルターも振動しやすくなって、フィルターに付着したトナーを剥離し易くなる。固定部材が隙間を持って集塵装置を固定する構成にすると、集塵装置内のフィルターは、振動し易くなる。隙間に弾性体を設けることで、フィルターをさらに振動し易くすることができる。
【発明を実施するための最良の形態】
【００１６】
以下、本発明の実施の形態を添付図面を参照して説明する。
図１は、本発明の１実施例としての画像形成装置の構成を示す図である。ただし、都合によりダクトブロックと集塵装置は省略している。図１に示すように、この画像形成装置はタンデム型カラー画像形成装置と称せられるもので、原稿自動搬送手段３０、画像読取装置６０、画像書込装置３Ｙ，３Ｍ，３Ｃ，３Ｋ、像担持体としての感光体１Ｙ，１Ｍ，１Ｃ，１Ｋ、帯電器２Ｙ，２Ｍ，２Ｃ，２Ｋ、現像装置４Ｙ，４Ｍ，４Ｃ，４Ｋ、定着装置２４、中間転写ベルトからなる像担持体６、給紙カセット２０ａ，２０ｂ，２０ｃ、搬送系２２等を有する。
【００１７】
５Ｙ，５Ｍ，５Ｃ，５Ｋは、現像装置４Ｙ，４Ｍ，４Ｃ，４Ｋにそれぞれ新規トナーを補給するトナー補給手段である。
【００１８】
原稿自動搬送手段３０は両面又は片面の原稿ｄを自動搬送する手段である。画像読取装置６０は、走査光学系により画像情報が読み取られる装置で、原稿載置台上から給送される多数枚の原稿ｄの内容を、３枚の可動ミラー６０ｃで反射し、集光レンズ６０ｂにより、ＣＣＤからなる撮像素子６０ａ上に結像して読み取る。
【００１９】
イエロー色の画像を形成する画像形成部１０Ｙは、像担持体としての感光体１Ｙの周囲に配置された帯電器２Ｙ、画像書込装置３Ｙ、現像装置４Ｙ及びクリーニング装置８Ｙを有する。マゼンタ色の画像を形成する画像形成部１０Ｍは、像担持体としての感光体１Ｍの周囲に帯電器２Ｍ、画像書込装置３Ｍ、現像装置４Ｍ及びクリーニング装置８Ｍを有する。シアン色の画像を形成する画像形成部１０Ｃは、像担持体としての感光体１Ｃ、帯電器２Ｃ、画像書込装置３Ｃ、現像装置４Ｃ及びクリーニング装置８Ｃを有する。黒色画像を形成する画像形成部１０Ｋは、像担持体としての感光体１Ｋ、帯電器２Ｋ、画像書込装置３Ｋ、現像装置４Ｋ及びクリーニング装置８Ｋを有する。帯電器２Ｙと画像書込装置３Ｙ、帯電器２Ｍと画像書込装置３Ｍ、帯電器２Ｃと画像書込装置３Ｃ及び帯電器２Ｋと画像書込装置３Ｋとは、各色の潜像形成手段を構成する。
【００２０】
中間転写ベルトである像担持体６は、無端状のベルトであり、複数のローラにより張架され、回動可能に支持されている。この像担持体６には、クリーニング装置９が設けられており、クリーニング装置９は、クリーニングローラとクリーニングブレードとを備えている。
【００２１】
撮像素子６０ａ上に結像した画像情報の信号は、図示しない画像処理部に送られる。画像処理部は、アナログ処理、Ａ／Ｄ変換、シェーディング補正、画像圧縮処理等を行った後、画像書込装置３Ｙ，３Ｍ，３Ｃ，３Ｋに各色ごとの信号を送る。
【００２２】
画像書込装置３Ｙ，３Ｍ，３Ｃ，３Ｋでは、レーザ光源としての半導体レーザを用い、半導体レーザが出射した光ビームはポリゴンミラーなどの光学要素により走査光ビームに形成されて被走査体としての感光体１Ｙ，１Ｍ，１Ｃ，１Ｋに入射し、各色の静電潜像を形成する。
【００２３】
画像形成部１０Ｙ，１０Ｍ，１０Ｃ，１０Ｋより形成された各色の画像は、回動する像担持体６上に１次転写装置としての転写装置７Ｙ，７Ｍ，７Ｃ，７Ｋにより逐次転写されて（１次転写）、合成されたカラー画像が形成される。給紙カセット２０ａ，２０ｂ，２０ｃ内に収容された用紙Ｐは、給紙手段２１ａ，２１ｂ，２１ｃにより給紙され、搬送系２２を経て、レジストローラ２３でタイミングを合わせて２次転写装置としての転写装置７ａに搬送され、用紙Ｐ上にカラー画像が転写される（２次転写）。カラー画像が転写された用紙Ｐは、定着装置２４により定着処理され、排紙ローラ２５に挟持されて機外の排紙トレイ２６上に載置される。
【００２４】
一方、転写装置７ａにより用紙Ｐにカラー画像を転写した後、用紙Ｐを分離した像担持体６は、クリーニング装置９によりクリーニングされる。
【００２５】
図２は図１の画像形成ユニットと集塵装置の部分を示す拡大図で、図３は、図２の一番上方のダクトブロック１００Ｙとその周辺をさらに拡大した図である。
【００２６】
イエロー（Ｙ），マゼンタ（Ｍ），シアン（Ｃ），ブラック（Ｋ）の４色の画像形成ユニットと、中間転写体としての像担持体６等は、図示しないプロセス架台に取りつけられている。このプロセス架台は、装置本体側に設けられた図示しないレールを介して紙面に対して垂直方向に出し入れできるようになっている。各帯電器２Ｙ，２Ｍ，２Ｃ，２Ｋも紙面に対して垂直方向に取り付け、取り外しができる。
【００２７】
ダクトブロック１００Ｙはイエロー（Ｙ）の画像形成ユニットの帯電器２Ｙと、現像装置４Ｙとの間に配置されている。同様に、マゼンタ（Ｍ）の画像形成ユニットには、ダクトブロック１００Ｍが、シアン（Ｃ）の画像形成ユニットには、ダクトブロック１００Ｃが、ブラック（Ｋ）の画像形成ユニットには、ダクトブロック１００Ｋがそれぞれ配置されている。以下の説明では、帯電器２Ｙと現像装置４Ｙとの間に設けられたダクトブロック１００Ｙについて説明するが、特に断りがない限り、他のダクトブロック１００Ｍ，１００Ｃ，１００Ｋも同じ構成である。また、以下の説明では、ダクトブロック１００Ｙ，１００Ｍ，１００Ｃ，１００Ｋを総称してダクトブロック１００として説明する。同様に感光体、帯電器、現像装置もそれぞれ総称して感光体１、帯電器２、現像装置４として説明する。
【００２８】
前記ダクトブロック１００は、仕切壁１０１，１０２，１０３，１０４により区分された３つのダクト１１０，１２０，１３０を階層状に重ねた構成となっている。
【００２９】
中間にある空気導入ダクト１２０は、外気を帯電器内に導くためのダクトであり、その上に形成された、オゾン吸引ダクト１１０は、帯電器２から出るオゾン（コロナ放電電極の作動に伴って発生する）を当該帯電器２内またはその周囲から除去・排出するためのダクトである。
【００３０】
前記オゾン吸引ダクト１１０は、ダクトブロック１００の頂部の仕切壁１０１と、空気導入ダクト１２０との境界となる仕切壁１０２との間に形成されている。オゾン吸引ダクト１１０の吸入口は、感光体１の回転方向（反時計方向）に見て帯電器２の下流に位置する。
【００３１】
前記仕切壁１０３の感光体１寄りには、帯電器２を取り付ける取付手段があり、帯電器２を取り付けた状態で、帯電器２の底面とその背後に対向する仕切壁１０３との間に空間１２１が形成されている。帯電器２の底面には、孔が穿設されていて、空気導入ダクト１２０から供給される空気は、帯電器２を通過して感光体１に達するようになっている。
【００３２】
空気導入ダクト１２０は、プロセス架台に設けられる別のダクトに接続される。このダクトには、ファン等が設けられていて、外気を帯電器２を通して感光体１に送り込む。
【００３３】
なお、前記ダクトブロック１００の下面（具体的には、左斜め下方に傾斜した前記仕切壁１０３部分を含む下面）と、前記仕切壁１０３の下面と同様の形状を持った下側の現像装置４の上面とにより、下側の感光体１の現像領域に連通する飛散トナー排出のための通路１０５を形成している。仕切壁１０４の先端には、下側の現像装置４の上面との間を閉止するシール１０４ａが設けられている。そして、上側の現像装置４の下部にあるダクトブロック１００のトナー吸引ダクト１３０は、下方の感光体１とその現像装置４との間で発生した飛散トナーを吸引することになる。
【００３４】
最上部の感光体１Ｙとその現像装置４Ｙとの間に発生する飛散トナーは、現像装置４Ｙの上面に沿って形成されたトナー吸引ダクト１３１により吸引される。
【００３５】
前記オゾン吸引ダクト１１０およびトナー排出用のトナー吸引ダクト１３０の一方端部は開放されており、図２に示す集塵装置２００に接続される。
【００３６】
図４は集塵装置２００の手前側のカバーとなる側板を取り外して内部構造を示した斜視図である。感光体１は図１の紙面に垂直な方向に延びる円筒形状であり、その一方端側、この実施例では、プロセス架台を引き出したときの奥側に集塵装置２００が配置されている。
【００３７】
集塵装置２００は、装置本体２１０とフィルター保持具２２０とから構成されている。装置本体２１０には、図４の上方に１つの接続口２１１と、左側面に４カ所の接続口２１２，２１３，２１４，２１５とがある。そして、接続口２１１には、トナー吸引ダクト１３１が接続される。接続口２１２には、現像装置４Ｙの下にあるダクトブロック１００Ｙのトナー吸引ダクト１３０とオゾン吸引ダクト１１０が接続される。同様に、接続口２１３には、現像装置４Ｍの下のダクトブロック１００Ｍのトナー吸引ダクト１３０とオゾン吸引ダクト１１０が、接続口２１４には、現像装置４Ｃの下のダクトブロック１００Ｃのトナー吸引ダクト１３０とオゾン吸引ダクト１１０がそれぞれ接続される。一番下の接続口２１５には、現像装置４Ｋの下のダクトブロック１００Ｋのオゾン排出用のオゾン吸引ダクト１１０のみが接続される。装置本体２１０の右側面は、ほぼ矩形の開口となっており、ここからフィルター保持具２２０が挿入される。
【００３８】
装置本体２１０内に嵌装されたフィルター保持具２２０には、複数のフィルター２２１が収容され、フィルター２２１の後方（右方）の吸引室２２２の上方には、開口２２３があり、この開口２２３は、装置本体２１０の吸引口２１９と重なるようになっていて、この吸引口２１９に吸引手段２３０として吸引ファンが接続される。装置本体２１０を形成している外壁２１０ａの下部には、フィルター２２１に振動を与えるための振動手段２４０が取り付けられている。
【００３９】
図２及び図４に示す装置本体２１０の左側には、空間２１６があり、接続口２１２，２１３，２１４，２１５から吸引された空気がこの空間２１６を経由してフィルター２２１を通過し、吸引口２１９から外部に排出される。
【００４０】
フィルター２２１は、トナー吸着用のフィルターとオゾン除去用の活性炭入りフィルターの双方を兼ねるものであり、シート状のフィルターを、複数枚平行に重ねたものである。フィルター２２１の吸着面２２１ａが層状に多数形成されることになり、吸着面２２１ａの総面積が増加し、集塵容量を上げることができる。
【００４１】
振動手段２４０は、モータに偏心して取り付けられた円板状の錘２４１を回転することで、フィルター２２１に振動を与える構成のものである。振動手段２４０は、装置本体２１０の外壁２１０ａの外側に取り付けられているので、装置本体２１０の内部とは連通せずに縁が切れている。したがって、装置本体２１０内にあるトナーが振動手段２４０に入り込むことがない。そのため、振動手段２４０がトナーで汚れたり、付着したトナーが固まって振動手段２４０の故障の原因になるといったことを防止することができる。
【００４２】
振動手段２４０のモータの軸は水平方向にあるので、偏心して取り付けられた錘２４１は円運動をして、上下方向と水平方向の成分を持った振動を装置本体２１０に与え、この振動がフィルター２２１に伝達されることになる。振動手段２４０は、実施例の構成のものに限定されるものではないが、フィルター２２１の吸着面２２１ａが上下方向になっているので、振動の上下方向成分によって、フィルター２２１の吸着面２２１ａに吸着した飛散トナーが落下し易くなる。
【００４３】
複数枚設けることによってフィルター２２１には多数の吸着面２２１ａが若干の隙間を持って層状に配置されることになり、最初の吸着面２２１ａで吸着されなかったトナーは、第２、第３……と続く複数の吸着面２２１ａのいずれかに吸着される機会が増え、フィルター枚数が多くなるほど捕捉される可能性が高くなる。
【００４４】
本発明では、複数枚のフィルター２２１をフィルター保持具２２０に取り付け、このフィルター保持具２２０を装置本体２１０に着脱自在にしている。
【００４５】
図５は、このフィルター保持具２２０を、装置本体２１０から中途まで引き出した状態を示している。装置本体２１０の図５に示す右側は、ほぼ矩形の開口２１８となっており、ここからフィルター保持具２２０を挿入したり、抜き取ったりができる構成となっている。フィルター保持具２２０は、装置本体２１０内にほぼ気密な状態で装着される。図５では、フィルター保持具２２０は中途までしか引き出されていないが、実際には、装置本体２１０から分離できるまで引き出せる構成である。
【００４６】
飛散トナーの回収は次のようにして行われる。
画像形成が始まると、感光体１Ｙが反時計方向に回転し、帯電器２Ｙがコロナ放電により感光体１Ｙの表面に一様に帯電させる。感光体１Ｙの帯電された表面に、画像書込装置３Ｙから、書込光路に沿ってレーザ光ビームを照射し、感光体１Ｙ上にイエロー色の静電潜像を形成する。以下、図１で説明したようにして各色の静電潜像が形成され、トナー画像となり、中間転写体としての像担持体６に転写され、用紙上に画像形成がされ、定着装置２４で定着される。
【００４７】
このような画像形成過程において、感光体１Ｙが回転すると、感光体１Ｙ表面の空気が一緒に動いて表層流が生じる。また、帯電器２Ｙからはオゾンが発生する。発生したオゾンは、表層流に乗って現像装置４Ｙの下部に向かって流れる。
【００４８】
表層流に乗って現像装置４Ｙ下部に向かったオゾンの流れは、オゾン吸引ダクト１１０の負圧によって吸い込まれ、集塵装置２００のフィルター２２１に含まれるオゾン除去用の活性炭でオゾンが除去され、オゾンの無い空気となって機外に排出される。
【００４９】
感光体１Ｙと現像装置４Ｙとの間で発生した飛散トナーは、トナー吸引ダクト１３１の負圧によって吸い込まれ、集塵装置２００内に入る。そして、集塵装置２００内で速度が低下し、一部が重力により落下して空間２１６の底部２１６ａに回収される。落下しなかったトナーは、フィルター２２１に達する。最初のフィルター２２１の吸着面２２１ａでトナーが捕捉される。最初の吸着面２２１ａを通過したトナーは、第２、第３…と続く吸着面に吸着される。
【００５０】
感光体１Ｍとその現像装置４Ｍとの間で発生した飛散トナーは、現像装置４Ｙの下部にあるダクトブロック１００の通路１０５に入り、これに連通するトナー吸引ダクト１３０を通過し、集塵装置２００のフィルター２２１で捕捉される。感光体１Ｃ、感光体１Ｋで発生するオゾンや飛散トナーも同様にそれぞれのトナー吸引ダクト１３０とオゾン吸引ダクト１１０に吸引され、集塵装置２００に入り、フィルター２２１に吸着される。
【００５１】
オゾン吸引ダクト１１０と、トナー吸引ダクト１３０とで帯電器２Ｙ近くの空気を吸引するので、帯電器２Ｙ近傍は低圧になる。そこで、空気導入ダクト１２０から外気を導入することになる。これら３つのダクトは分離して整然と階層状に配置されているので、オゾンを含む風、飛散トナーを含む風、外から供給される風の３つの風のコントロールがうまくできる。
【００５２】
フィルター２２１の吸着面２２１ａには飛散トナーが付着する。放置しておくと、やがて目詰まりをおこしてフィルター機能が失われる。そこで、振動手段２４０を稼働させ、装置本体２１０を振動させ、この振動をフィルター２２１に伝達する。この伝達された振動によって、吸着面２２１ａに付着しているトナーが剥離して落下し、空間２１６の底部２１６ａに溜まる。トナーの剥離によりフィルター２２１の目詰まりを防止することができる。
【００５３】
フィルター２２１は、複数枚設けられているので、トナーの捕捉の確実性を上げることができる。また、吸着面２２１ａは上下方向に広がっているので、剥離したトナーは下方に落下し、空間２１６の底部２１６ａに溜まる。
【００５４】
しかしながら、いずれフィルター２２１は目詰まりするので、交換する必要が生じる。その場合、フィルター保持具２２０を図５に示すように引き出して、さらに装置本体２１０から離反し、画像形成装置の外でフィルター２２１を交換してから、開口２１８からフィルター保持具２２０を挿入すればよい。
【００５５】
図６は、本発明の集塵装置２００の取付状態を示す斜視図である。集塵装置２００は、フィルター保持具２２０を出し入れするためのほぼ矩形をした開口２１８を有する。この開口２１８は、ほぼ矩形状の取付部材２１８ａに穿設されたものである。本発明の集塵装置２００は、画像形成装置本体のフレーム３００に固定部材２５０で固定されている。固定部材２５０は、集塵装置２００の取付部材２１８ａの１辺の上下にのみ設けられ、集塵装置２００をフレーム３００に固定している。集塵装置２００の反対側は、オゾン吸引ダクト１１０やトナー吸引ダクト１３０，１３１等と接続はしているが、固定された状態ではない。したがって、集塵装置２００は、上下の固定部材２５０を結ぶ線を軸とした支持となり、振動し易い状態となるので、振動手段２４０の振動をフィルター２２１に効率よく伝達できるようになる。
【００５６】
図７（ａ）は、固定部材２５０の部分を拡大した断面図である。固定部材２５０は、フレーム３００に形成した雌ネジ穴３０１と、段付きビス２５１とから構成される。取付部材２１８ａに穿設された孔に段付きビス２５１の胴部２５１ｂを挿通し、先端の雄ネジ２５１ａを雌ネジ穴３０１に螺合する。このとき、取付部材２１８ａの厚さより胴部２５１ｂの長さを長くし、固定部材２５０の締付方向に隙間ｓができるようにすると、集塵装置２００と、その中のフィルター２２１を振動させ易くすることができ、トナーを振るい落とし易くなる。
【００５７】
図７（ｂ）は、図７（ａ）の隙間ｓに板バネ２５２を入れたものである。このように板バネ２５２を入れることで、フィルター２２１をさらに振動させ易くすることができる。
【００５８】
図示の実施例では、固定部材２５０を矩形の上下方向の一辺に２箇所設けたが、この態様に限定されない。水平方向の２箇所でもよく、対角線上の２箇所でもよい。また、隙間ｓを上下方向に形成してもよい。
【図面の簡単な説明】
【００５９】
【図１】本発明の１実施例としての画像形成装置の構成を示す図である。
【図２】図１の画像形成ユニットと集塵装置の部分を示す拡大図である。
【図３】図２の一番上方のダクトブロックとその周辺を拡大した図である。
【図４】集塵装置の内部構造を示す斜視図である。
【図５】フィルター保持具を、装置本体から中途まで引き出した状態を示す図である。
【図６】本発明の集塵装置の取付状態を示す斜視図である。
【図７】（ａ），（ｂ）は、固定部材の部分を拡大した断面図である。
【符号の説明】
【００６０】
１，１Ｙ，１Ｍ，１Ｃ，１Ｋ    感光体
４，４Ｙ，４Ｍ，４Ｃ，４Ｋ    現像装置
１１０    オゾン吸引ダクト
１３０，１３１  トナー吸引ダクト
２００    集塵装置
２１０    装置本体
２２０    フィルター保持具
２２１    フィルター
２２１ａ  吸着面
２３０    吸引手段
２４０    振動手段
２５０    固定部材
ｓ        隙間
【図１】
2008003336.tif 000003
【図２】
2008003336.tif 000004
【図３】
2008003336.tif 000005
【図４】
2008003336.tif 000006
【図５】
2008003336.tif 000007
【図６】
2008003336.tif 000008
【図７】
2008003336.tif 000009